(57)【要約】【課題】服用する薬をカレンダーに記載されている各日の前面に配置するようにしておき、服用当日に使用者の服用の失念を防止することができる服薬管理ポケットを備えるカレンダーを提供する。【解決手段】本発明の服薬管理ポケット２を備えるカレンダー１は、カレンダー１の前面を覆うように配置されるシート材４を備え、シート材４には、カレンダー１に記載されている各日に対応し、使用者の服薬の管理が実施可能なポケット２が複数設けられていて、ポケット２は、透明乃至は半透明とされ、且つ、薬７を格納可能な大きさに形成されている。【選択図】図２
2019058613.tif 000002
【特許請求の範囲】
【請求項１】
カレンダーの前面を覆うように配置されるシート材を備え、
前記シート材には、前記カレンダーに記載されている各日に対応し、使用者の服薬の管理が実施可能なポケットが複数設けられていて、
前記ポケットは、透明乃至は半透明とされ、且つ、薬を格納可能な大きさに形成されている
ことを特徴とする服薬管理ポケットを備えるカレンダー。
【請求項２】
前記ポケットは、前記カレンダーが月めくりの場合、３０乃至は３１個設けられている
ことを特徴とする請求項１に記載の服薬管理ポケットを備えるカレンダー。
【請求項３】
挿入された前記薬が存在しているか否かを検出するセンサが、前記シート材乃至は前記ポケット各々に備えられていることを特徴とする請求項１又は２に記載の服薬管理ポケットを備えるカレンダー。
【請求項４】
前記ポケットには、前記使用者に対して、当日の服薬を促す表示部が備えられていることを特徴とする請求項１〜３のいずれかに記載の服薬管理ポケットを備えるカレンダー。
【発明の詳細な説明】
【技術分野】
【０００１】
本発明は、使用者が薬を服用したか否かを管理することができるポケットが装着されたカレンダーに関する。
【背景技術】
【０００２】
一般に、風邪、腹痛などの数日の安静が必要な病気の場合、医師により、１〜３週間程度服用する薬が処方される。また、糖尿病など生活習慣病や、高血圧、痛風などの慢性的な病気においては、長期に亘って服用する薬が処方される。
この処方される薬においては、毎日服用するものもあれば、一週間に一度で済むものもある。また、処方される薬は、病状によって複数個になる場合もある。
【０００３】
このように、実際に処方される薬を使用者が服用することは、基本的に使用者個人に委ねられている。
しかしながら、服薬する期間が長くなったり、服用する薬の個数が多くなると、使用者は薬を飲むことを時々失念してしまうことがある。また、使用者が回復し始めると、服薬しなければならない期間の途中や、その服薬期間の後半で、薬を飲むことを失念することもある。また、認知症の症状を有する老人の場合、服薬を確実に遂行させることは困難を伴う。
【０００４】
これらの場合、回復するまでの期間が長期となってしまい、使用者の身体に掛かる負担は勿論のこと、医療費などにも大きく負担がかかってくる。
一方で、使用者が多忙などにより、薬を飲んだことを失念することもある。この場合、思い出した使用者は２回目の薬を飲んでしまい（二重服薬）、過剰に薬を摂取する可能性がある。
【０００５】
このような状況下になると、使用者は体調を崩してしまうおそれがあるので、防がなければならない。認知症の症状を有する老人の場合、二重服薬を頻繁に起こしてしまう危険性も大きい。
このように、使用者が服薬することを失念すると、上記のように、様々な問題が生じるので、使用者自らが服薬の管理を行うことに加えて、その服薬管理を外部からサポートすることが必要となってくる。
【０００６】
使用者が服薬したか否かを管理する技術としては、例えば、特許文献１〜３に開示されているものがある。
特許文献１は、薬収納ケース及び薬管理システムであって、服薬記録とともに血圧測定値を自動記憶、同時表示、及び入力出力が可能であり、臨床的に意義ある情報を供給することを目的としている。
【０００７】
具体的には、この薬収納ケース及び薬管理システムでは、担当医が指示した服用タイミング毎に、服用すべき薬を指示するので、薬を間違えることなく、忘れることなく服用でき、また、その服用実績と血圧測定結果値とを、同時に記憶、表示、及び医療機関が一目で同時に把握でき、血圧情報の変化と服用効果が判りやすく、臨床的に有意義な情報を得ることができるとされている。
【０００８】
特許文献２は、服薬管理装置であって、病院や薬局で処方された処方薬を処方箋で指定された方法で適正に服薬できるように支援して、患者の薬の飲み忘れを防止できるようにすることを目的としている。
具体的には、容器本体の上面側には、薬ケースが、容器本体から取り外し可能に挿着される収納部が設けられ、最右側に挿着される各薬ケースの右側部の容器本体面には、服薬時刻を示す朝、昼、夕、夜の文字が上部側から順次記載され、各薬ケースの右側部の容器本体面には表示灯が設けられ、服薬時刻になると、その時刻に服薬する薬を収納する薬ケースの薬蓋及び右側部に設けられている表示灯が点滅し、容器本体から薬ケースを引き出すと、薬蓋及び表示灯が消灯するものとされている。
【０００９】
特許文献３は、医薬品のパッケージに取付けて使用し、薬の服用忘れや二重の服用を防止することを目的としている。
具体的には、服薬管理ラベルは、接着面、突出面からなる透明の基材と、突出面に剥離可能に積層される複数の記入ラベルからなるラベルシートとを備え、ＰＴＰシートの裏面に透明の基材を粘着剤により取り付けて、ＰＴＰシートの両側方にラベルシートを突出させ、医薬品を服用したときにプレススルーパッケージの記入ラベルに医薬品を服用した日を含む医薬品の服用に関する記録を記入するものとされている。
【先行技術文献】
【特許文献】
【００１０】
【特許文献１】特開２００４−１８１１３７号公報
【特許文献２】実用新案登録第３１８９７２３号公報
【特許文献３】特開２０１５−３３５７３号公報
【発明の概要】
【発明が解決しようとする課題】
【００１１】
特許文献１に開示の薬収納ケースは、載置型であるので、使用者はこの装置をテーブルなどに置き、その前に対面するなどしてから服薬することとなる。
しかしながら、この薬収納ケースにおいては、使用者に服薬の通知があったとしても、薬収納ケースのところに使用者がわざわざ移動してから、服薬する必要があるので、手間がかかるものである。
【００１２】
例えば、この薬収納ケースが広い施設に設置されている場合、通知があってからそのケースに移動するのに時間がかかってしまい、利便性が低いものとなる。
たとえ、使用者に服薬の通知があったとしても、使用者が別の用事等を行っていて手が離せない場合、その通知から長い時間が経過すると、服薬を失念してしまうおそれがある。
【００１３】
また、この同文献の図６〜１２を参照すると、医療機関のＰＣに繋いだりしているので、技術的に大がかりなものとなっている。
特許文献２に開示の服薬管理装置も、載置型であるので、使用者はこの装置をテーブルなどに置き、その前に対面するなどしてから服薬することとなる。
しかしながら、この服薬管理装置においても、上記したように、使用者に服薬の通知があったとしても、装置にわざわざ移動しなければならず、手間がかかるものである。また、携帯電話などに服薬の通知があっても、手が離せない場合、後回しになり、服薬を失念してしまうおそれがある。
【００１４】
一方、特許文献３は、薬のパッケージに取り付けて使用するラベルである。
そもそも通常、薬は、処方袋や薬ケースなどに入れられ、キャビネットなどの引き出しに収納されているので、薬に、服薬忘れや二重の服用を防止するラベルを張り付けただけでは、使用者が服薬を完全に失念している場合、そのまま放置されてしまう可能性が高いと考えられる。
【００１５】
仮に、薬のパッケージに取り付けたラベルと紐付けさせておいた別のラベルを用意し、その別のラベルを施設の何処かに掲げておいたとしても、薬を収納しているところへ移動しなければならず、利便性が低いものとなる。
このように、従来の技術では、使用者が服薬することを完全に失念している場合、服薬を促すことは、難しいと考えられる。特に、認知症の症状を有する老人の場合、従来の技術では、薬の飲み間違い、飲み忘れを防ぐことは困難である。
【００１６】
以上より、使用者が服薬することを失念することを防ぐには、簡便で且つ、日常よく見ることのあるものを利用することが良いと考えられる。
例えば、カレンダーを利用することが良いと思われる。
理由としては、カレンダーは、通常少なくとも一日に一回は見るものであるので、そのカレンダーに使用者の服薬の失念を防ぐ手段を備えておくと、使用者が不意に服薬することを忘れた場合、容易に教えてくれるものとなる。
【００１７】
このように、カレンダーを用いると、特許文献１，２のように装置の前に使用者がわざわざ移動する必要もなく、また特許文献３のようにラベルをわざわざ薬に付ける必要もない（薬が多数になると非常に煩わしくなる）ので、使用者の服薬の失念を防止することが可能となる。
そこで、本発明は、上記問題点に鑑み、服用する薬をカレンダーに記載されている各日の前面に配置するようにしておき、服用当日に使用者の服用の失念を防止することができる服薬管理ポケットを備えるカレンダーを提供することを目的とする。
【課題を解決するための手段】
【００１８】
上記の目的を達成するため、本発明においては以下の技術的手段を講じた。
本発明にかかる服薬管理ポケットを備えるカレンダーは、カレンダーの前面を覆うように配置されるシート材を備え、前記シート材には、前記カレンダーに記載されている各日に対応し、使用者の服薬の管理が実施可能なポケットが複数設けられていて、前記ポケットは、透明乃至は半透明とされ、且つ、薬を格納可能な大きさに形成されていることを特徴とする。
【００１９】
好ましくは、前記ポケットは、前記カレンダーが月めくりの場合、３０乃至は３１個設けられているとよい。
好ましくは、挿入された前記薬が存在しているか否かを検出するセンサが、前記シート材乃至は前記ポケット各々に備えられているとよい。
好ましくは、前記ポケットには、前記使用者に対して、当日の服薬を促す表示部が備えられているとよい。
【発明の効果】
【００２０】
本発明によれば、服用する薬をカレンダーに記載されている各日の前面に配置するようにしておき、服用当日に使用者の服用の失念を防止することができる。
【図面の簡単な説明】
【００２１】
【図１】本発明の服薬管理ポケットを備えるカレンダーの概略を模式的に示した図である。
【図２】本発明の服薬管理ポケットを備えるカレンダーの使用状態の例を示した図である。
【図３】服薬管理ポケットの小分けポケットを拡大した図である。
【図４】本発明の服薬管理ポケットを備えるカレンダーの別例を示した図である。
【発明を実施するための形態】
【００２２】
以下、本発明にかかる服薬管理ポケットを備えるカレンダーの実施形態を、図を参照して説明する。
なお、本発明は、カレンダー１に装着可能な服薬管理ポケット２を備えるカバー体３ともいえるものである。
そのため、以降の本実施形態の説明において、本発明の名称を「服薬管理ポケット２を備えるカバー体３」乃至は「カバー体３」と呼ぶこともある。
【００２３】
なお、以下に説明する実施形態は、本発明を具体化した一例であって、その具体例をもって本発明の構成を限定するものではない。本発明の説明においては、カレンダー１を「月めくりカレンダー」としている。
カレンダー１は、紙製のものであってもよく、液晶表示されたものでもよい。また、ｉＰａｄ（登録商標）に備えられた液晶画面上に表示されたものでもよい。
【００２４】
本発明にかかるカレンダー１に装着可能な服薬管理ポケット２を備えるカバー体３は、カレンダー１の前面を覆うように配置されるシート材４を備えている。
図１、図２に示すように、シート材４は、カレンダー１よりやや大きいものとされ、カレンダー１に印刷されている文字（日付・曜日など）が認識可能な透明乃至は半透明のものとされている。
【００２５】
シート材４は、例えば、ポリプロピレン（ＰＰ）シートなどの柔軟な材料を用いて形成されているとよい。また、再生材料などの柔軟な材料を用いてもよい。
このシート材４の厚みとしては、例えば０．２ｍｍ厚といった薄いものであってもよい。なお、シート材４は、１ｍｍ程度の厚みのある板材であってもよい。つまり、シート材４の厚みにおいては、当業者の想到可能な範囲であれば、特に限定はしない。
【００２６】
本実施例では、カバー体３は、カレンダー１の上部に設けられたリングなどの吊下部材１０で吊し掛けられることで、カレンダー１の前面に覆うものとしている。
なお、カバー体３に関しては、上部とカレンダー１の上部とを合わせた上で、クリップやテープなど留め具を用いて、カレンダー１の前面に覆うようにしてもよい。
つまり、カバー体３は、図１の上側に示すような状態となるような構成を採用することが好ましい。
【００２７】
さて、本発明のカバー体３（シート材４）には、薬７を格納することが可能なポケット２が複数設けられている。このポケット２は、処方された使用者の服薬の管理が実施可能となっている。
図３に示すように、服薬管理ポケット２は、カレンダー１に記載されている各日に対応し且つ、それら日付の枠とほぼ同じ大きさに形成されている。
【００２８】
服薬管理ポケット２は、本実施形態のように、カレンダー１が月めくりのものであるなら、６週分であって、３１日分に小分けされるポケット２が設けられているものが好ましい。つまり、ポケット２は、日々に対して一対一の対応とすることが好ましい。
理由としては、図１、図２に示すように、月の始まりが、例えば金曜日や土曜日など週後半であった場合、月末（３０日、３１日）が６週目に入ってしまう場合があるため、その月末の日に薬７を格納するポケット２が必要となるため、６週で少なくとも３１日分設けることが望ましい。
【００２９】
なお好ましくは、１月〜１２月のそれぞれに対応可能となるように、７日×６週＝４２日分の服薬管理ポケット２をカバー体３に設けておくとよい。
すなわち、服薬管理ポケット２を、左側から右側へ横方向に７個配置し、その一列を縦６つ配置するとよい。
また、服薬管理ポケット２については、朝・昼・夜などに分割されていてもよい。このポケット２の分割のパターンについては、縦に３分割してもよいし、シート材４の前方向に向かってポケット２を積層するように３つ設けてもよい。
【００３０】
つまり、ポケット２の分割のパターンについては、使用する目的によって、適宜変更可能である。
なお、カレンダー１が月めくりの場合、少なくとも２８個以上（７日×４週＝２８日分以上）服薬管理ポケット２をカバー体３に設けておくとよい。
ところで、週めくりカレンダーに対応させる場合、服薬管理ポケット２を、少なくとも７個設けておくとよい。
【００３１】
例えば、図１などに示すような、左側から右側へ日付が進むカレンダーの場合、その日付ごとに対応させた、服薬管理ポケット２を横方向に７個配置するとよい。また、上側から下側へ日付が進むカレンダーの場合、その日付ごとに対応させた、服薬管理ポケット２を縦方向に７個配置するとよい。
すなわち、週めくりカレンダーの場合、７日×１週＝７日分の服薬管理ポケット２を設けておくとよい。
【００３２】
また、服薬管理ポケット２各々に、挿入された薬７が存在しているか否かを検出するセンサ５を備えているとよい。
なお、図示はしないが、シート材４本体に、挿入された薬７が存在しているか否かを検出するセンサ５を備えていてもよい。
センサ５については、薬７の重量を測定可能なものや、服薬管理ポケット２の開閉が検出できるもの、服薬管理ポケット２に使用者が接触したことを検出できるものなどが好ましい。
【００３３】
例えば、重量センサ５により薬７の重量を測定し且つ、その重量がゼロとなった場合、服薬管理ポケット２内が空となったと検出し、服薬当該日において薬７が服用されたと判断するとよい。
つまり、センサ５については、服薬を管理することができるようなものであれば、様々な製品を採用することが可能である。
【００３４】
服薬管理ポケット２に、開閉自在のロック機構（図示せず）を備えてもよい。ロック機構は、薬７を服用する当日になると、服薬管理ポケット２を開くことができるように解除し、服薬の当日以外の日においては、服薬管理ポケット２を施錠するようにしているとよい。
ロック機構については、例えば電磁石やリミット（メカニカルな鍵機構）などを用いるとよい。ロック機構についても、服薬管理ポケット２の開閉が制御できるものであれば、様々な製品を採用することが可能である。
【００３５】
図３に示すように、服薬管理ポケット２に、使用者に対して、当日の服薬を促す表示部６を備えているとよい。この表示部６については、例えばＬＥＤを用いてもよく、点滅するものであれば、様々な製品を採用することが可能である。
例えば、表示部６をインターネットに繋いでおき、インターネットのカレンダー機能を利用して、薬７を服用する当日になると、使用者に対して表示部６を点滅させるようにするとよい（ＩｏＴ機能）。
【００３６】
また、使用者の関係者がインターネットなどを介して、服薬の当日に表示部６を点滅させるとよい。
なお、表示部６の点滅方法については、服薬の当日に使用者が認識できるようになっていれば、様々な製品を採用することが可能である。
また、図２に戻って、ｗｅｂカメラ８を用いて、遠隔で使用者の服薬管理を実施することも可能である。また、遠隔操作により、服薬管理ポケット２の開閉可能とするとよい。使用者の携帯可能な電子端末に、服薬の指示のメールを送信すると同時に、服薬管理ポケット２の表示部６を点灯させるとよい。
【００３７】
例えば、ｗｅｂカメラ８により、カレンダーおよびカバー体３を一定時間ごとに記録し、その映像に時系列的な映像変化があれば、使用者が服薬したものとみなし、時系列的な映像変化がなければ、薬の飲み忘れが発生したと認定することもできる。
また、使用者の関係者の電子端末などに、使用者が服薬管理ポケット２に薬７を収納したこと、服薬管理ポケット２から取り出して薬７を服用したことをメールなどにて連絡するようになっていてもよい。
【００３８】
例えば、使用者が服薬管理ポケット２に薬７を収納したときに、そのポケット２に設けたリミットを働かせて、使用者の関係者に、ポケット２に薬７が収納されたことを連絡するとよい。
また、使用者が服薬管理ポケット２から薬７を取り出したときに、そのポケット２に設けたリミットを働かせて、使用者の関係者に、ポケット２から薬７が取り出されたことを連絡するとよい。
【００３９】
なお、本発明の説明では、カバー体３を、カレンダー１の上部に設けられたリングなどの吊下部材１０から吊し、そのカレンダー１の前面を覆い被せて掛ける壁掛けタイプの月めくりカレンダー１の場合としたが、図４に示すように、例えば、カレンダー１の左右両側に備えられたレール部材９によって、カバー体３を案内することで、カレンダー１の前面に覆うものとしてもよい。
【００４０】
また、月めくりカレンダー１に関し、図示はしないが、例えば、透明又は半透明とし、且つ、左右の少なくとも一方側にスリット孔を設けたケース体を備えておき、そのスリット孔よりに、月日が印刷されたカレンダー１を差し替えることが可能なタイプなどを用いてもよい。
また、本発明の説明では、月めくりカレンダー１用のカバー体３としたが、週めくりカレンダーの場合、そのカレンダーに対応させて製造するとことも可能である。つまり、本発明は、カレンダーの形それぞれに合わせて、服薬管理ポケット２を配置して製造することが可能である。
【００４１】
また、カレンダーについては、月・日・曜日等が電光掲示されるものであっても構わない。その場合、電光掲示に対応するように、服薬管理ポケット２を備えるカバー体３を製造することとなる。
また、電子端末、例えば、Ａｐｐｌｅ社製のｉｐａｄ（登録商標）などのタブレット型電子端末に表示されるカレンダーである場合、その端末に対応するように、服薬管理ポケット２を備えるカバー体３を製造することとなる。
【００４２】
つまり、本発明の服薬管理ポケット２を備えるカバー体３については、その服薬管理ポケット２がカレンダー１に印刷された日々と一対一の対応となるようにすることが、最も好ましい。
以上まとめれば、本発明のカレンダーに装着可能な服薬管理ポケット２を備えるカバー体３によれば、服用当日に使用者の服薬の失念を防止することができる。
【００４３】
上で詳説した機能の他、カバー体３に必要とされる機能は、様々なものがある。その機能について、上記と重複することもあるかもしれないが、以下に箇条書きで記することにする。
（ａ）  本発明のカバー体３を、カレンダー機能が備えられていて、月が変わると当月の表示に切り替わる電光掲示板に覆い被せるようにしてもよい。もしくは、カレンダー機能が内蔵されている電子端末（タブレット型など）に覆い被せるようにしてもよい。また、本発明のカバー体３は、通常の紙のカレンダーにも適用可能である。
【００４４】
（ｂ）  服薬管理ポケット２の開口部に電磁石などを備えておき、服薬する日以外は完全にロックする。言い換えれば、服薬する当日のみ、服薬管理ポケット２を開放可能とする。
（ｃ）  服薬管理ポケット２乃至はシート材４に、服薬管理のためのセンサ５を備える。そのセンサ５としては、薬７の重量・服薬管理ポケット２に対する接触動作、服薬管理ポケット２の開口部の開放動作などを検出することが可能なものが好ましい。
【００４５】
（ｄ）  施設内のｗｅｂカメラ８を利用する。ｗｅｂカメラ８で得られた服薬管理ポケット２の画像を複数（朝昼夜ごと、又は、数日分）受信する。受信した画像の変化により、服薬管理ポケット２内に薬があるかないかを検出し、服薬したか否かを判断する機能を備える。
（ｅ）  服薬管理ポケット２の画像の変化や、服薬管理ポケット２内の重量変化などから判断した服薬の結果を、ＩｏＴ機能（ツール）を活用して、使用者の関係者に送信する機能も備える。
【００４６】
（ｆ）  服薬のスケジュールを、カバー体３内の制御部などに記憶させておき、ＩｏＴ機能を活用して、薬７を服用する日に、服薬管理ポケット２の表示部６を点灯・点滅させるようにしたり、使用者の携帯端末に服薬を促すメールを送信するなど、オンラインで服薬が管理できる機能を備える。すなわち、本発明のカバー体３と、ＩｏＴ機能を連動させる。
【００４７】
（ｇ）  服薬管理ポケット２内を三つの袋に分割し、それぞれ朝・昼・夜用にすることとしてもよい。
（ｈ）  リミットを備えておき、服薬管理ポケット２内に薬７が収納されたときにリミット（施錠手段）を作動させ、その薬７が取り出されたときにリミットを作動させる。
以上、本発明によれば、服用する薬７をカレンダー１に記載されている各日の前面に配置するようにしておくことで、利便性が高くなると共に、服用当日に使用者の服用の失念を防止することができる。
【００４８】
つまり、使用者の服薬管理を外部からサポートすることで、より確実に使用者の服薬を管理することができるようになる。
また、使用者が薬を飲んだことを失念することも防止することができるので、使用者の二重服薬（薬の摂取過剰）を防止することができる。
すなわち、使用者の身体に掛かる負担や、医療費などの負担を軽減させることができるようになる。
【００４９】
また、この本発明によれば、認知症の症状を有する老人の場合であっても、服薬の遂行や、薬の摂取過剰など、身体に対する様々な問題を防止することができるようになる。
なお、今回開示された実施形態はすべての点で例示であって制限的なものではないと考えられるべきである。
特に、今回開示された実施形態において、明示されていない事項、例えば、操作条件、構成物の寸法、重量などは、当業者が通常実施する範囲を逸脱するものではなく、通常の当業者であれば、容易に想定することが可能な事項を採用している。
【符号の説明】
【００５０】
１  カレンダー
２  服薬管理ポケット（ポケット）
３  カバー体
４  シート材
５  センサ
６  表示部
７  薬
８  ｗｅｂカメラ
９  レール部材
１０  吊下部材
【図１】
2019058613.tif 000003
【図２】
2019058613.tif 000004
【図３】
2019058613.tif 000005
【図４】
2019058613.tif 000006